(57)【要約】【課題】管体傾斜時にても内部仕掛けの移動のない魚釣り用仕掛け保護具および補助具を提供する。【解決手段】挿通孔を有する保持主体を設け、該挿通孔内に装着部材を挿通保持させたことを特徴とする。【選択図】      図３
2006191915.tif 000002
【特許請求の範囲】
【請求項１】
挿通孔を有する保持主体を設け、該挿通孔内に装着部材を挿通保持させたことを特徴とする補助具。
【請求項２】
その両端に着脱可能なるキャップを有する適宜長の管体を設けるとともに、管体の一方の端部近傍側面に通し穴を穿設し、一方、通し穴に挿通可能な外径を有する棒状部分を備えた適宜形状の保持体を設け、以上の管体と保持体との組み合わせよりなることを特徴とする魚釣り用仕掛け保護具。
【発明の詳細な説明】
【技術分野】
【０００１】  この発明は、ワカサギ等の小魚を釣るときに使用する、魚釣り用の仕掛け保護具および補助具に関する。
【背景技術】
【０００２】  従来より、ワカサギ等の釣りに使用する仕掛け保護具はあるが、両端を閉塞した単なる筒状物品であり、本発明にて示すように、この筒内に位置する仕掛けの筒内移動を阻止する機能を有する保護具および筒内移動防止のための補助具は見当たらない。
【発明の開示】
【発明が解決しようとする課題】
【０００３】  冬の湖沼での釣りにワカサギ釣りがある。これは適度の厚さに氷結した湖沼の氷に穴を開けて、この穴に釣り糸を垂らして行われる。ワカサギは小魚であるため、この釣りに使用する釣り竿は小形であり、また釣り用の針や糸も小形・細めのものが用いられる。
そのため、これら仕掛けの扱いには注意を要し、この仕掛けを保護するための用具が市販されている。この用具は、透明合成樹脂製の細長管体を主体とし、その両端に不透明有色の軟質合成樹脂によるキャップを嵌入したものである。
使用に際しては一方のキャップを外して管端より、おもり、仕掛け糸等を入れ込み、キャップをはめることによって中の仕掛けは保護される。釣り糸はキャップと管体との間に押圧保持され、外部に伸びて竿の所定個所に巻回保持される。
従って、釣り針等の仕掛けは管体中にあるため、移動時その他の場合に絡まることなく保護される。しかし、以上の用具使用において、キャップと管端近傍側面との間に釣り糸の一部が押圧保持されるものの糸の他端にあるおもりに対しては保持手段が無く、管体の傾きによってはこのおもりが管内を移動し、釣り糸や釣り針が絡まることがあり、その解決策が望まれていた。
本発明は、以上のような従来からの釣り仕掛け保護具に関わる課題を解決するために発明されたもので、管内のおもりの保持手段を設けることにより、上述の課題を解決することのできる新規かつ有用なる物品を提供することを目的として開発されたものである。
【課題を解決するための手段】
【０００４】  課題を解決する手段として本発明は、管体に設けた通し穴に保持主体を保持させてその主要部を構成した。
すなわち、本発明の一つは、挿通孔を有する保持主体を設け、該挿通孔内に装着部材を挿通保持させたことを特徴とする魚釣り用仕掛け保護時に使用する補助具である。
また、本発明の他の一つは、その両端に着脱可能なるキャップを有する適宜長の管体を設けるとともに、管体の一方の端部近傍側面に通し穴を穿設し、一方、通し穴に挿通可能な外径を有する棒状部分を備えた適宜形状の保持体を設け、以上の管体と保持体との組み合わせよりなることを特徴とする魚釣り用仕掛け保護具である。
【発明の効果】
【０００５】  本発明によれば、管体内のおもり移動を防止できるので、管体内の仕掛けは管体の傾斜時にても移動することがなく、仕掛けの絡まりが防止できて、安全かつ機能的な使用を可能とする有用なる魚釣り用の仕掛け保護具および補助具を提供することができる。
【発明を実施するための最良の形態】
【０００６】  以下、本発明の実施形態について説明する。
図において、１は市販の管体で、透明合成樹脂製である。２はキャップで、軟質有色合成樹脂であり、管体両端部に嵌入保持される。３は通し穴で、一方のキャップ近傍の管体側面に穿設される。なお、この通し穴は管体側面の一個所に設けられ、管体全体を貫通はしない。
４は保持主体である。この保持主体は軟質合成樹脂製の短管５の側面に貫通孔（図示略）が穿設されたもので、この貫通孔内に装着部材として環状のゴムベルト６が挿通される。
以上により、魚釣り仕掛け保護具と補助具が構成される。
次ぎに、その使用について説明する。
図８において、１０はワカサギ用の釣り竿である。柄１１から弾力を有する竿本体１２が伸び、竿本体側面に複数個の添環１３が所定角度にて取り付けられている。
柄の上部には糸巻き型の巻回部１４が柄と一体に形成され、ここに道糸１５が巻回保持されている。この巻回部から繰り出された道糸は添環内に通されて先に延び、より戻し１６を介して仕掛け糸１７につながり、仕掛け糸端にはおもり１８が結びつけられる。
すなわち、おもりに固着されている結環１９に結びつけられる。また、仕掛け糸の中間部にはハリス２０を介して釣り針２１が結びつけられるが、この釣り針は適宜間隔を持って複数個設けられる。このおもりは、その下部を略半球状に形成した円錐台形状である。【０００７】  これらの仕掛け部分である仕掛け糸、ハリス、釣り針、おもり、よりもどし、道糸の一部は図８に示すように既述の管体内に位置する。すなわち、キャップを外しておもりから管体内に仕掛け部分を挿入し、キャップをはめることにより、キャップと管体側面との間に位置する道糸部分は押圧保持され、道糸から先に位置する各仕掛け部分は管体内に位置することとなり、おもりは管体端部近傍に位置することとなる。
この管体側面には図１に示すように通し穴が穿設されており、保持主体である短管部分をこの通し穴に差し込み、ゴムベルトを管体に回して引っ掛けると図５の状態となる。
この状態において、短管は管体の中央に位置するため、おもりはその下部を大径とする円錐台形状のため、おもりを短管より右方に位置させることにより、この短管と管体内側面との空隙を通ることができない。従って、おもりの移動を阻止してその位置を保つことができ、従来のような仕掛けの管体内での移動が無く、仕掛けの位置保持ができる。
なお、短管はゴムベルト引張による押圧にて管体からの脱落が防止される。【０００８】  図１０は本発明補助具の変化例を示すもので、保持主体を軟質合成樹脂による逆円錐台形状としたものであり、その他の構成および使用法は前例と同じである。
本例は保持主体側面に傾斜面を有しており、通し穴に差し込んだときにこの傾斜面と通し穴内面とが押圧接触するのでよりしっかりと管体に保持される利点がある。
図１１〜図１３は本発明の他例であり、保持体と仕掛け保護具との組み合わせによる魚釣り用仕掛け保護具である。この保持体は、軟質合成樹脂製の逆円錐台形状の保持部分上部に、略直方体形状部分を一体に形成したものであり、使用時は図１１〜図１２に示すように、管体の通し穴に挿入する。この保持部分は傾斜面であるため、前述の例のように管体に対して押圧保持される。
図１３はこの保持体と管体との間に伸縮ベルトを接続したものである。使用時は管体に伸縮ベルトを少し引張しながら巻きつけ、通し穴に保持体を挿入保持させる。
この例では管体と保持体とが接続されているので、保持体の紛失を防ぐことができる。
なお、図１３のように管体を一周する巻きつけ以外に、複数回巻きつけてから挿入してもよい。【０００９】  以上、本発明について記したが、本発明は管内の仕掛け移動を簡単な手段にて防止できるところにその特徴がある。既述のように従来は単なる管体の中に仕掛けを位置させる手段であったため、管体の傾斜による内部の仕掛け移動が阻止できなかったが、本発明にてその移動を防ぐことができ、これら仕掛けを内蔵した管体の取扱がより安全となったのである。なお、本発明補助具の使用に際しては、市販の管体側面に通し穴を穿設して用いる。
この補助具である保持体および保持主体の材質として、既述の例では軟質合成樹脂を用いたが、木、金属その他の素材にて形成してもよい。また、短管以外に棒体でもよい。
以上のごとく、本発明によってより安全に扱うことのできる小魚釣り用の仕掛け保護具、その補助具を得ることができる。
【図面の簡単な説明】
【００１０】
【図１】  本発明に使用する仕掛け保護具の平面図（縮小図）
【図２】  本発明の補助具の拡大平面図
【図３】  本発明の補助具の拡大正面図
【図４】  仕掛け保護具に補助具を装着した状態の説明図（平面視）
【図５】  仕掛け保護具に補助具を装着した状態の説明図（正面視）
【図６】  本発明に使用するおもりの拡大平面図（市販品）
【図７】  本発明に使用するおもりの拡大正面図（市販品）
【図８】  本発明の使用状態説明図
【図９】  本発明の使用状態拡大説明図
【図１０】  本発明の他例における補助具拡大正面図
【図１１】  本発明の他例における補助具使用状態説明図（平面視）
【図１２】  本発明の他例における補助具使用状態説明図（正面視）
【図１３】  本発明の他例における魚釣り用仕掛け保護具の要部説明図（正面視）
【符号の説明】
【００１１】  １    管体
２    キャップ
３    通し穴
４    保持主体
５    短管
６    ゴムベルト
１０  釣り竿
１１  柄
１２  竿本体
１３  添環
１４  巻回部
１５  道糸
１６  より戻し
１７  仕掛け糸
１８  おもり
１９  結環
２０  ハリス
２１  釣り針
３０  保持体
３１  保持体
３２  伸縮ベルト
【図１】
2006191915.tif 000003
【図２】
2006191915.tif 000004
【図３】
2006191915.tif 000005
【図４】
2006191915.tif 000006
【図５】
2006191915.tif 000007
【図６】
2006191915.tif 000008
【図７】
2006191915.tif 000009
【図８】
2006191915.tif 000010
【図９】
2006191915.tif 000011
【図１０】
2006191915.tif 000012
【図１１】
2006191915.tif 000013
【図１２】
2006191915.tif 000014
【図１３】
2006191915.tif 000015